(57)【要約】  コンピュータシステムでは、少なくとも１つの電子部品を支持するコンピュータシャーシ12、102、202であって、一定の体積及び少なくとも１つのインタラクティブ表面20、120、220を有する、コンピュータシャーシ12、102、202と、コンピュータシャーシ12、102、202によって支持されると共に電子部品に接続されるインジケータパネル30、130、230であって、ディスプレイ37、137、237及び外縁32、132、232を有する、インジケータパネル30、130、230とを備え、インジケータパネル30、130、230は、第１の位置であって、インジケータパネル30、130、230がインタラクティブ表面20、120、220の開口33、133、233内に収容され、インジケータパネル30、130、230及びディスプレイがシャーシの体積内に配置され、且つ外縁32、132、232が露出されて電子部品の状態を示す、第１の位置を有する。
2010503916.tif 000002
【特許請求の範囲】
【請求項１】
少なくとも１つの電子部品を支持するコンピュータシャーシ（１２、１０２、２０２）であって、一定の体積及び少なくとも１つのインタラクティブ表面（２０、１２０、２２０）を有する、コンピュータシャーシ（１２、１０２、２０２）と、
前記コンピュータシャーシ（１２、１０２、２０２）によって支持されると共に前記電子部品に接続されるインジケータパネル（３０、１３０、２３０）であって、ディスプレイ（３７、１３７、２３７）及び外縁（３２、１３２、２３２）を有する、インジケータパネル（３０、１３０、２３０）とを備え、
前記インジケータパネル（３０、１３０、２３０）は、第１の位置を有し、
前記インジケータパネル（３０、１３０、２３０）が前記インタラクティブ表面（２０、１２０、２２０）の開口（３３、１３３、２３３）内に収容され、
前記インジケータパネル（３０、１３０、２３０）及び前記ディスプレイ（３７、１３７、２３７）が前記シャーシの体積内に配置され、
前記外縁（３２、１３２、２３２）が露出されて前記電子部品の状態を示すことを特徴とするコンピュータシステム。
【請求項２】
前記外縁（３２、１３２、２３２）は、ＬＥＤインジケータをさらに備えることを特徴とする請求項１に記載のコンピュータシステム。
【請求項３】
前記ＬＥＤインジケータは、前記外縁（３２、１３２、２３２）に沿って延びる照明されるストリップを備えることを特徴とする請求項２に記載のコンピュータシステム。
【請求項４】
前記外縁（３２、１３２、２３２）は、
前記コンピュータシステムの前記ヘルスの概要を表す第２のディスプレイ（２３２）と、
外部デバイスと通信する少なくとも１つのポート（２５２）とをさらに備えることを特徴とする請求項１に記載のコンピュータシステム。
【請求項５】
前記インジケータパネル（３０、１３０、２３０）は、前記インジケータパネル（３０、１３０、２３０）及び前記ディスプレイ（３７、１３７、２３７）が前記インタラクティブ表面（２０、１２０、２２０）を越えて延びる第２の位置をさらに有することを特徴とする請求項１に記載のコンピュータシステム。
【請求項６】
前記インジケータパネル（３０、１３０、２３０）は、回転軸（４０、１４０、２４０）をさらに備え、且つ前記インジケータパネル（３０、１３０、２３０）が前記インタラクティブ表面（２０、１２０、２２０）を越えて延びる第２の位置をさらに有し、
前記回転軸（４０、１４０、２４０）は、前記位置の両方において、前記シャーシ（１２、１０２、２０２）の上部表面の平面と、前記インタラクティブ表面（２０、１２０、２２０）の平面との両方に平行であることを特徴とする請求項１に記載のコンピュータシステム。
【請求項７】
前記ディスプレイ（３７、１３７、２３７）は、前記インジケータパネル（３０、１３０、２３０）の平面内にあり、且つ前記パネルの前記平面は、前記位置の両方において、前記シャーシ（１２、１０２、２０２）の上部表面の平面に平行であり、
前記インジケータパネル（３０、１３０、２３０）及び前記ディスプレイ（３７、１３７、２３７）は、前記パネルの前記平面が前記上部表面の前記平面に対して横向きになる第３の位置に移動可能であることを特徴とする請求項６に記載のコンピュータシステム。
【請求項８】
電子部品を有するコンピュータシステム用の指示デバイスであって、
ディスプレイ（３７、１３７、２３７）及び前記ディスプレイ（３７、１３７、２３７）から離間して設けられている外縁（３２、１３２、２３２）を有するインジケータパネル（３０、１３０、２３０）と、
前記コンピュータシステムの前記電子部品に接続可能な複数のインジケータ（３８、１３８、２３８）を有する前記ディスプレイ（３７、１３７、２３７）と、
前記複数のディスプレイインジケータ（３８、１３８、２３８）に接続されるインジケータを有する前記外縁（３２、１３２、２３２）とを備え、
前記外縁の前記インジケータは、前記複数のディスプレイインジケータ（３８、１３８、２３８）のうちのいずれか１つが作動されると信号で伝えることを特徴とする指示デバイス。
【請求項９】
前記インジケータパネル（３０、１３０、２３０）をコンピュータシャーシ（１２、１０２、２０２）内に挿入する手段をさらに備え、
挿入の際、前記ディスプレイ（３７、１３７、２３７）は前記コンピュータシャーシ（１２、１０２、２０２）内に隠れ、前記外縁（３２、１３２、２３２）は露出されたままであることを特徴とする請求項８に記載のコンピュータシステム。
【請求項１０】
前記インジケータパネル（３０、１３０、２３０）を、軸（４０、１４０、２４０）を中心として回転させる手段をさらに備えることを特徴とする請求項８に記載のコンピュータシステム。
【発明の詳細な説明】
【背景技術】
【０００１】
コンピュータシステムは多数の電子部品を含み、当該電子部品は、コンピュータシステムの動作中に当該電子部品のヘルスを把握するための監視を必要とする。例えば、発光ダイオード（ＬＥＤ）を電子部品に接続し、これが電子部品のヘルスに関する情報を示すことで、観察者はシステムを診断することができる。ＬＥＤは、コンピュータシャーシの内部全体に取り付けられ、シャーシのカバーを開くことによってアクセス可能である。場合により、ＬＥＤは、シャーシの表面上の利用可能な空間がある種々の箇所に取り付けられる。
【０００２】
サーバ、ルータ及びストレージアレイのような多くのコンピュータシステム及び部品は、複数の部品の効率的な格納をもたらすラックエンクロージャ内に取り付けられるように構成されている。多くのラックエンクロージャは、複数の部品が内部に取り付けられる基本的に大きいキャビネットである。これらのラックは、多数の部品を密集させて格納しつつも、アップグレード及びメンテナンスのために部品への容易なアクセスをもたらすように設計されている場合が多い。コンピュータシステムのサイズを縮小することによって、多くの場合、部品を互いに近接させてパッケージングすることになり、且つ部品がラック内に設置されている間はコンピュータシャーシの外部可視表面積が縮小することになる。したがって、コンピュータシステムのこの「高密度化」は、システムの内部電子部品へのアクセスを制限し、且つシステムの外部表示能力を限定する。
【発明の概要】
【０００３】
コンピュータシステムでは、少なくとも１つの電子部品を支持するコンピュータシャーシであって、一定の体積及び少なくとも１つのインタラクティブ表面を有する、コンピュータシャーシと、コンピュータシャーシによって支持されると共に電子部品に接続されるインジケータパネルであって、ディスプレイ及び外縁を有する、インジケータパネルとを備え、インジケータパネルは、第１の位置であって、インジケータパネルがインタラクティブ表面の開口内に収容され、インジケータパネル及びディスプレイがシャーシの体積内に配置され、且つ外縁が露出されて電子部品の状態を示す、第１の位置を有する。
【０００４】
次に、本発明の例示的な実施形態を詳述するために添付の図面を参照する。
【図面の簡単な説明】
【０００５】
【図１】ラックによって支持されているコンピュータシステムの例示的なアレイを示す図である。
【図２】本発明の実施形態に従って組み立てられたコンピュータシステム及びインジケータパネルを示す図である。
【図３】図２のインジケータパネルの一部を示す図である。
【図４】図３のインジケータパネルの上面図である。
【図５】図２〜図４のインジケータパネル及びコンピュータシステムの部分の側面図である。
【図６】図５のインジケータパネル及びコンピュータシステムの側面図である。
【図７】図５のインジケータパネル及びコンピュータシステムの側面図である。
【図８】図４のインジケータパネルを示す図である。
【図９】本発明の実施形態に従って組み立てられたコンピュータシステム及びインジケータパネルを示す図である。
【図１０】図９のインジケータパネルを示す図である。
【図１１】図１０のインジケータパネルを示す図である。
【図１２】図１０のインジケータパネルを示す図である。
【図１３】本発明の実施形態に従って組み立てられたコンピュータシステム及びインジケータパネルを示す図である。
【図１４】図１３のインジケータパネルを示す図である。
【図１５】図１３のインジケータパネルを示す図である。
【発明を実施するための形態】
【０００６】
［注記及び名称］
特定のシステム部品に言及するために、以下の記載及び特許請求の範囲にわたって特定の用語を使用する。当業者ならば理解するように、コンピュータ会社によっては、異なる名称によって部品を指し示し得る。本明細書は、名称が異なるが機能は異ならない部品間に区別を設けることを意図していない。以下の説明及び特許請求の範囲では、用語「含む」及び「備える」を限定しないように使用するため、これらは、「含むが、．．．に限定されない」を意味するものと解釈されるべきである。また、用語「接続する」は、間接的な接続又は直接的な接続のいずれかを意味することが意図される。したがって、第１のデバイスが第２のデバイスに接続する場合、この接続は、直接的な接続によるものであってもよいか、又は他のデバイス及び接続部を介する間接的な接続によるものであってもよい。
【０００７】
以下の説明は、本発明の種々の実施形態に関する。これらの実施形態の１つ又は複数は好適であり得るが、開示される実施形態は、特許請求の範囲を含む本開示の範囲を限定するものとして解釈されるべきでも使用されるべきでもない。さらに、以下の記載が広範な用途を有し、任意の実施形態の説明はその実施形態の例示に過ぎないことを意図されており、特許請求の範囲を含む本開示の範囲がその実施形態に限定されることを暗示することを意図されていないことを当業者は理解するであろう。
【０００８】
図１を参照すると、ラックエンクロージャ６０が、開放前端６４を有するラックフレーム６２を備える。前端６４は、示すように互いに近接して積み重ねられているコンピュータシステム７０を収容するようになっており、フレーム６２は、当該コンピュータシステム７０を支持するようになっている。コンピュータシステム又はサーバ７０は正面７４を有し、これは、インジケータ、リムーバブルデバイス、及びシステム７０の動作に必要な他のインタラクティブコンポーネントを備えることができる。
【０００９】
次に図２を参照すると、コンピュータシステム又はサーバ１０が、上部表面１４、側部表面１６、下部表面１８、及び図１の正面７４と同様の前側インタラクティブ表面２０を有するシャーシ１２を備える。表面２０は、シャーシ１２の、最も可視性が高く且つアクセス可能な表面である。インタラクティブ表面２０は、複数のリムーバブル・ホットプラグデバイス及びインジケータをさらに備える。リムーバブル・ホットプラグデバイス２２、２４、２６、２８は、メモリ、ハードドライブ、電源、電力変換器、及び当業者に既知の他の部品のような取り外し可能な部品を含む。表面２０は、上述のホットプラグデバイス、又はシステム１０の内部部品と通信する他のデバイスにユーザインタフェースを提供するため、インタラクティブである。
【００１０】
インタラクティブ表面２０は、インジケータパネル３０も含み、当該インジケータパネル３０は、外縁３２が露出されて可視である挿入位置、格納位置すなわち後退位置で図２に示されている。外縁３２は、図３において拡大して示されている。後退位置では、パネル３０は、表面２０の開口３３内に収容される。この位置では、パネル３０及びディスプレイ３７（例えば図３及び図４に示す）がシャーシ１２の体積内に配置されつつも、ディスプレイ３７から離間して設けられている外縁はインタラクティブ表面２０に露出されている。
【００１１】
パネル３０は、部品２２、２４、２６、２８のような、システム１０の電子部品の少なくとも１つに接続される。外縁３２は、システム１０に関する情報を可視指示によってシャーシ１２内から中継するようになっている。例えば、外縁３２は、照明されることによって警告信号を提供することができる。外縁３２は、ＬＥＤ（図示せず）を介して照明されることによってシステム１０の部品の故障を示す。縁３２におけるストリップが、透明な又は半透明な表面の下に配置されているＬＥＤによって背面照明される。代替的には、縁３２におけるストリップは、多数の光ファイバストランドを介してストリップに接続されているＬＥＤによって背面照明される。照明される他のストリップ及び付加的な指示デバイスも、縁３２において信号を提供するのに適している。
【００１２】
次に図４を参照すると、インジケータパネル３０が、上から見て、インタラクティブ表面２０及びシャーシ１２に対して拡張位置すなわちイジェクト位置で示されている。この位置では、パネル３０及びディスプレイ３７は、開口３３を介してシャーシ１２の体積の外部にある。サポート部材又はタング３４がインジケータパネル３０を支持すると共にヒンジ３６を介してパネル３０に接続されている。ヒンジ３６は、例えば、フリクションヒンジ、又はインジケータパネルの動作を可能にするのに適している他のヒンジである。インジケータパネル３０は、インジケータ３８を含むディスプレイ３７を備える。インジケータ３８は、ＬＥＤ及び他の適している発光素子を含む。種々のインジケータ３８がシステム１０の電子部品又は電子機能に接続されて対応する。当該電子部品又は電子機能は、例えば、電源、メモリ、プロセッサ、ファン、電力調整器、温度センサ、システム１０内のコネクタ相互接続、ネットワーク活動、ユーザ認証、及び当業者に既知のコンピュータシステム又はサーバの他の部品及び機能を含む。ＬＥＤインジケータ３８は、それらのレイアウトがシステム１０のシャーシ１２内の電子部品の物理的な配置又はレイアウトに一致するようにディスプレイ３７上に配置される。ディスプレイ上の電子部品のこのような一致した表現は、ユーザがインジケータ信号を特定の部品と関連付けるのを援助する。
【００１３】
動作中、図５のシャーシ１２の上部の側面図を参照すると、インジケータパネル３０は、ＬＥＤ照明される縁３２によって示される包括的な故障信号に応答して開口３３から手動で引き出されることによって部分的にイジェクトされる。代替的には、パネル３０は、自動イジェクト応答によって縁３２を押すことによってイジェクトされる。このような自動応答は、「プッシュプッシュ」機構又はスナップロック機構、又はインジケータパネルを保持及びイジェクトするのに適している他の保持機構及びイジェクト機構によって達成される。パネル３０の移動は、ガイドレールシステム、レール及びスクリュートラックシステム、又はインジケータパネルを支持するのに適している他のサポートシステムによって支持される。
【００１４】
次に図６を参照すると、パネル３０が完全にイジェクトされて示されており、パネル３０によって画定されている平面は、インタラクティブ表面２０によって画定されている平面に実質的に垂直である。パネル３０の平面は、インタラクティブ表面２０の平面に実質的に垂直であると共に、上部表面１４（図４も参照）によって画定されている平面に実質的に平行である。このイジェクト段階では、ヒンジ３６が軸４０を中心とした回転軸でのパネル３０の動作を制限しているため、タング３４はパネル３０と実質的に同一表面である。
【００１５】
診断ディスプレイ３７が、パネル３０によって画定されている平面と同じ平面に位置しており、それによって、完全にイジェクトされている位置において、背景照明されている縁３２によって包括的に示されている故障を正確に確定するために当該診断ディスプレイを見ることができる。付加的には、見易くするために、パネル３０を、図７に示すようにパネル３０の上部を押下することによって下方に傾けることができる。フリクションヒンジ３６は、軸３６を中心としたパネル３０の枢動動作を可能にすることによって応じるであろう。パネル３０は、上方に回転するようにもなっている。概して、パネル３０は、観察者がディスプレイ３７を適切に見る必要に応じて、観察者が、ラック６０の種々の高さに配置されているサーバ１０よりも上であるか、当該サーバ１０と同じ目の高さであるか又は当該サーバ１０よりも下であるかに応じて、軸３６を中心として回転するようになっている。図７において矢印４２によって示すように、軸４０を中心としたパネル３０の回転の際、パネル３０の平面は、表面１４の平面及びタング３４の平面に対して横向きになる。タング３４は、パネル３０が回転しているとき、表面１４の平面と実質的に平行な平面を維持する。タング３４は、配線、ケーブル布線、及びデータと電力とをパネル３０に運ぶ他の伝送媒体も支持する。図８は、タング３４によって支持されると共にヒンジ３６を介して傾けられている拡張及び傾斜位置にあるパネル３０の斜視図を示す。
【００１６】
本発明の別の実施形態では、図９は、シャーシ１０２と、上部表面１０４と、側部表面１０６と、下部表面１０８と、前部可視インタラクティブ表面１２０とを備えるサーバ１００を示す。インジケータパネル１３０は、開口１３３内に収容されていると共に可視前縁１３２を有して示されている。パネル１３０はパネル３０と同様にサーバ１００の電子部品に接続されており、上述したように、縁１３２又は当該縁の一部を照明することによってこれらの部品の少なくとも１つの故障、ステータス又は他の状態を示す。
【００１７】
次に図１０を参照すると、パネル１３０が、シャーシ１０２の部分１０１のハウジング１０３に配置されている。示すように、ハウジング１０３はパネル１３０をシャーシ１０２の体積内に保持しており、縁１３２はハウジング１０３の穴又は開口１３３と、インタラクティブ表面１２０とに隣接している。パネル１３０は、後退位置すなわち格納位置で示されており、この場合、ディスプレイ１３７はシャーシの体積内に隠れている。縁１３２を背面照明するか又は縁１３２の一部を別様に照明する際のように、所望される場合、突出部１３９を上述のように引くか又は押すことができる。縁１３２の照明は、例えば、電源、メモリ、プロセッサ、ファン、電力調整器又は温度センサを含む、サーバ１００の電子部品の故障を表す。突出部１３９を押すか又は引くことで、イジェクトプロセスが始まり、それによって、故障に関するより多くの情報が、イジェクトされたパネルを見ることによって得られる。
【００１８】
パネル１３０のイジェクトは、図５及び図６を参照してパネル３０と同様に生じる。パネル１３０は、表面１２０に垂直であると共にシャーシ１０２の表面１０４に平行である平面内を、完全にイジェクトされるまで移動する。イジェクト位置では、観察者がラックの底面に向かって配置されているサーバ１００よりも上に立っているときのように、種々の角度の下向き位置からディスプレイ１３７が最も良く見える。観察者の目の高さがサーバ１００と同じであるか、又は当該サーバ１００よりも下に位置している場合、より良好な観察角度を提供するようにパネル１３０を回転させる。図１１を参照すると、パネル１３０は、縁１３２が下方に移動し、上縁１４２が上方に移動し、且つディスプレイ１３７が表面１２０の実質的に外方に面するように、軸１４０を有するヒンジ１３６を中心として回転している。パネル１３０は、ヒンジ軸１４０を中心として付加的な回転位置に配置されるように調整可能である。ディスプレイ１３７は、システム１００のシャーシ１０２内のそれらの対応する部品の位置配置を表すように配置されているＬＥＤインジケータ１３８を含む。インジケータ１３８の１つ又は複数は、照明される縁１３２によって示される故障に関するさらなる詳細を提供するように照明されるであろう。
【００１９】
図１２は、図１１に示されている位置決めされたパネル１３０の実質的な背面図である。ヒンジ１３６を介してパネル１３０に接続されているサポート拡張部１３４がさらに詳細に示されている。電力及びデータをパネル１３０に伝達する配線１４４も示されている。上述のように、ハウジング１０３は、拡張部１３４とパネル１３０とを支持すると共にシャーシ１０２の部分１０１の一部である。ハウジング１０３はまた、パネル１３０と拡張部１３４とのアセンブリの相対的な摺動移動のための内部ガイドシステム（図示せず）を備える。このような内部ガイドシステムは、上述のようなものに順応しているか、又はインジケータパネルをガイドするのに別様に適している。
【００２０】
次に図１３を参照すると、本発明の別の実施形態が示されている。シャーシ２０２及び内部電子部品（図示せず）のような、本明細書に記載されているシステム１０、１００と同様の部品を備えるシステム２００が示されている。図１３の代替的な実施形態では、開口２３３を有するインタラクティブ表面２２０を有するシャーシ２０２が、シャーシ２０２及び表面２２０に対して格納位置すなわち後退位置で示されているインジケータパネル２３０を支持する。後退位置では、パネル２３０は、開口２３３を通してシャーシ２０２の体積内に実質的に配置される。ディスプレイ２３７（図１４に示す）はシャーシ２２０内に隠れているが、ディスプレイ表面２３２は見ることができる。ディスプレイ表面２３２は、例えばＬＥＤインジケータ２５０を含むインジケータ及びインタラクティブデバイスと、外部デバイスと通信するユニバーサル・シリアル・バス（ＵＳＢ）ポート２５２と、電源ボタン２５４と、ユーザ認証（ＵＩＤ）ボタン２５６とを備える。ＬＥＤインジケータ２５０は、図１３では隠れており且つ以下でさらに十分に説明されるパネル２３０のメインディスプレイ上に示されるシステムのより詳細な解析を包括的に表すため、システム２００のヘルスの概要を表すものとしても知られる。
【００２１】
例えば、１つ又は複数のインジケータ２５０がシステム２００内の故障を示す場合を含め、システム２００についてより深く知る必要がある場合、イジェクトボタン２５８を押す。すると、パネル２３０が解放され、本明細書において上述したように開口２３３を通ってシャーシ２０２及び表面２２０から離間して突出することが可能になる。イジェクト位置では、図１４に示されるように、パネル２３０が現れる。パネル２３０は、本明細書において上述したようにインジケータであるＬＥＤ２３８が配置されているメインディスプレイ２３７を備える。メインディスプレイ２３７は、問題又は故障の正確な集中型の診断を可能にするために、概要インジケータ２５０よりも多くの情報及びＬＥＤ２３８を含む。さらに、図１５を参照すると、パネル２３０は、パネル２３０が回転する中心となり得る回転軸２４０を有するヒンジ２３６を備える。ヒンジ２３６は、本明細書に記載されている種々のヒンジを含むか、又はスナッピングヒンジを含んでもよい。したがって、パネル２３０は、シャーシ２０２及び表面２２０に対して種々の傾斜位置に嵌められることができる。インジケータ２５０によって与えられる警告に基づいて、システムステータスインジケータを、ユーザの裁量によってパネル２３０（又は本明細書において記載されているパネルのいずれか）をイジェクトすることによって選択的に解析及び管理することができる。システム解析が完了すると、パネルを、コンピュータシャーシの一定の深さに格納するようにシャーシ内に後退させるか又は再挿入することができ、それによって、他の目的のために可視且つアクセス可能な前部空間を確保する。
【００２２】
上記説明は、本発明の原理と種々の実施形態との例示であることが意図されている。上記開示を十分に理解すると、多数の変形形態及び変更形態が当業者には明白になるであろう。例えば、インジケータパネルは、インジケータパネル３０、１３０、２３０、又は当業者が本開示の教示を参照して開発することができる任意の他のインジケータパネルのような種々の形態をとってもよい。以下の特許請求の範囲はそのような変形形態及び変更形態を全て包含するものと解釈されることが意図されている。
【図１】
2010503916.tif 000003
【図２】
2010503916.tif 000004
【図３】
2010503916.tif 000005
【図４】
2010503916.tif 000006
【図５】
2010503916.tif 000007
【図６】
2010503916.tif 000008
【図７】
2010503916.tif 000009
【図８】
2010503916.tif 000010
【図９】
2010503916.tif 000011
【図１０】
2010503916.tif 000012
【図１１】
2010503916.tif 000013
【図１２】
2010503916.tif 000014
【図１３】
2010503916.tif 000015
【図１４】
2010503916.tif 000016
【図１５】
2010503916.tif 000017
【国際調査報告】
2010503916.tif 000018
2010503916.tif 000019
2010503916.tif 000020